(57)【要約】【課題】迅速に組み立てることができ、側方から収納物が出し入れ可能であって、外観体裁が良好な包装用箱を提供する。【解決手段】側部２０は、底部３０に対して起立する第一側板２１と、第一側板２１の左右側縁に連続するとともに底部３０に対して起立する一対の第二側板２２、２３と、第一側板２１に対向し底部３０に対して起倒自在な第三側板２４とを備える。底部３０は、補助底板３１と、底板３２とを備える。補助底板３１は、第一側板２１の下端縁に連続する第一連結フラップ３３と、第二側板２２の下端縁に連続する第二連結フラップ３４とが連結されるとともに、第一側板２１と第二連結フラップ３４に連続する第二側板２２との隅部付近から斜め方向に形成される第一折線７１と、第一側板２１と底板３２に連続する第二側板２３との隅部付近から斜め方向に形成される第二折線７２とを有する。【選択図】図１
0003186664.tif 000002
【実用新案登録請求の範囲】
【請求項１】
底部と側部とで物品収納部を形成する包装用箱であって、
前記側部は、前記底部に対して起立する第一側板と、前記第一側板の左右側縁に連続するとともに前記底部に対して起立する一対の第二側板と、前記第一側板に対向し前記底部に対して起倒自在な第三側板とを備え、
前記底部は、補助底板と、前記第二側板のいずれか一方の下端縁と前記第三側板の下端縁とに連続する底板とを備え、
前記補助底板は、前記第一側板の下端縁に連続する第一連結フラップと、前記第二側板のいずれか他方の下端縁に連続する第二連結フラップとが連結されるとともに、前記第一側板と前記第二連結フラップに連続する前記他方の第二側板との隅部付近から斜め方向に形成される第一折線と、前記第一側板と前記底板に連続する前記一方の第二側板との隅部付近から斜め方向に形成される第二折線と、を有し、
前記補助底板を前記第一折線及び前記第二折線において折曲げ又は展開することで、折り畳み又は組み立てを行う、包装用箱。
【請求項２】
請求項１に記載の包装用箱であって、
前記第一折線と前記第二折線において折り曲げて前記補助底板を折り曲げ、
前記第一側板と前記補助底板とを重ね、
前記第二連結フラップに連続する第二側板と前記補助底板とを重ね、
前記底板に連続する第二側板と前記底板とを重ね、
少なくとも前記補助底板と前記底板を介して、前記第一側板と前記底板に連続する第二側板とを重ねて、
折り畳み状態とする、包装用箱。
【請求項３】
請求項１又は２に記載の包装用箱であって、
前記補助底板は、前記第二連結フラップに、前記第一折線を介してフラップ連結部３５を形成し、前記第一連結フラップに、前記第二折線を介して底板連結部３６を形成し、前記フラップ連結部３５と前記第一連結フラップとを連結し、前記底板連結部３６と前記底板とを連結する、包装用箱。
【請求項４】
請求項３に記載の包装用箱であって、
前記第一折線と前記第二折線において折り曲げて、
前記第一側板と前記第一連結フラップとを重ね、
前記第二連結フラップに連続する第二側板と前記第二連結フラップとを重ね、
前記底板に連続する第二側板と前記底板とを重ね、
前記第一連結フラップと、前記第二連結フラップとを介して、前記第一側板と前記第二連結フラップに連続する前記第二側板とを重ね、
少なくとも前記第一連結フラップと前記底板とを介して、前記第一側板と前記底板に連続する第二側板とを重ねて、
折り畳み状態とする、包装用箱。
【請求項５】
請求項１から４のいずれか１項に記載の包装用箱であって、
前記第一側板と前記底板の端側とを固定する固定部、及び／又は前記第二連結フラップに連続する第二側板と前記底板の端側とを固定する固定部を備える、包装用箱。
【請求項６】
請求項１から５のいずれか１項に記載の包装用箱であって、
前記第二側板の自由端縁に連続するとともに前記底部に対して起立する折込フラップを備え、
前記折込フラップは仕切部を備え、前記仕切部を前記物品収納部内に配置して補助収納部を形成する、包装用箱。
【請求項７】
請求項６に記載の包装用箱であって、
前記折込フラップは、前記仕切部と、前記第三側板の下端縁近傍に沿って配置する折込部とを備える、包装用箱。
【請求項８】
請求項７に記載の包装用箱であって、
前記折込部は、前記仕切部の下端側を切り込んで形成する、包装用箱。
【考案の詳細な説明】
【技術分野】
【０００１】
本考案は、包装用箱に関する。
【背景技術】
【０００２】
従来、例えば生菓子等の収納物を持ち帰るために使用される包装用箱が知られている。例えば生菓子は型崩れしやすく、包装用箱の上方からは出し入れし難い。このため、収納物を包装用箱の側方から出し入れ可能であることが望まれる。また、保管場所の省スペース化のため、保管時には折り畳み状態としておき、使用時に組み立てられる。このため、迅速に組み立て可能であることが望まれる。
【０００３】
特許文献１は、底部をいわゆるボトムロック式に形成した包装用箱を開示する。側板の両端の折線上には夫々ミシン目を設けている。ミシン目を切り離して側板を解放することで、側方から収納物を取り出すことが可能である。
【０００４】
しかしながら、特許文献１の包装用箱は、収納物を入れる際には側板が開放されないため、上方から収納物を入れなければならない。また、収納物を取り出す際には、ミシン目を切り離してから側板を外側に倒さなければならず煩雑である。
【０００５】
特許文献２は、底板に前後左右の側板を起立させ、後側板の左右側縁に連結する接合片と隣接する左右側板とを固着して、後側板及び左右側板の起立状態を保持する包装用箱を開示する。特許文献２の包装用箱は、前側板の上側折曲片と左右側板の左右折曲片を係合解除することで前側板を起倒自在とし、前側板側から収納物を出し入れすることができる。
【０００６】
しかしながら、特許文献２の包装用箱は、折り畳み状態では左右側板が傾斜状の折目に沿って紙箱の内方へ谷折りされている。起立させても左右側板には折目に沿って折り畳み状態に戻ろうとする力が働く。このため、左右側板が直立状態になり難いという問題がある。また、左右側板面の傾斜状の折目が外側に露出するため、外観体裁が良好でないという問題もある。
【先行技術文献】
【特許文献】
【０００７】
【特許文献１】登録実用新案第３０３７０８４号公報
【特許文献２】登録実用新案第３０９５２５５号公報
【考案の概要】
【考案が解決しようとする課題】
【０００８】
本考案は上記課題に鑑みてなされたものである。本考案の目的は、迅速に組み立てることができ、側方から収納物が出し入れ可能であって、外観体裁が良好な包装用箱の提供である。
【課題を解決するための手段】
【０００９】
本考案の解決しようとする課題は以上の如くであり、次にこの課題を解決するための手段を説明する。
【００１０】
即ち、第１の考案の包装用箱は、底部と側部とで物品収納部を形成する包装用箱であって、
側部は、底部に対して起立する第一側板と、第一側板の左右側縁に連続するとともに底部に対して起立する一対の第二側板と、第一側板に対向し底部に対して起倒自在な第三側板とを備え、
底部は、補助底板と、第二側板のいずれか一方の下端縁と第三側板の下端縁とに連続する底板とを備え、
補助底板は、第一側板の下端縁に連続する第一連結フラップと、第二側板のいずれか他方の下端縁に連続する第二連結フラップとが連結されるとともに、第一側板と第二連結フラップに連続する他方の第二側板との隅部付近から斜め方向に形成される第一折線と、第一側板と底板に連続する一方の第二側板との隅部付近から斜め方向に形成される第二折線と、を有し、
補助底板を第一折線及び第二折線において折曲げ又は展開することで、折り畳み又は組み立てを行う。
【００１１】
第２の考案の包装用箱は、第１の考案の包装用箱であって、
第一折線と第二折線において折り曲げて補助底板を折り曲げ、
第一側板と補助底板とを重ね、
第二連結フラップに連続する第二側板と補助底板とを重ね、
底板に連続する第二側板と底板とを重ね、
少なくとも補助底板と底板を介して、第一側板と底板に連続する第二側板とを重ねて、
折り畳み状態とする。
【００１２】
第３の考案では、第１又は第２の考案の包装用箱であって、
補助底板は、第二連結フラップに、第一折線を介してフラップ連結部を形成し、第一連結フラップに、第二折線を介して底板連結部を形成し、フラップ連結部と第一連結フラップとを連結し、底板連結部と底板とを連結する。
【００１３】
第４の考案では、第３の考案の包装用箱であって、
第一折線と第二折線において折り曲げて、
第一側板と第一連結フラップとを重ね、
第二連結フラップに連続する第二側板と第二連結フラップとを重ね、
底板に連続する第二側板と底板とを重ね、
第一連結フラップと、第二連結フラップとを介して、第一側板と第二連結フラップに連続する第二側板とを重ね、
少なくとも第一連結フラップと底板とを介して、第一側板と底板に連続する第二側板とを重ねて、
折り畳み状態とする。
【００１４】
第５の考案では、第１から第４のいずれかの考案の包装用箱であって、
第一側板と底板の端側とを固定する固定部、及び／又は第二連結フラップに連続する第二側板と底板の端側とを固定する固定部を備える。
【００１５】
第６の考案では、第１から第５のいずれかの考案の包装用箱であって、
第二側板の自由端縁に連続するとともに底部に対して起立する折込フラップを備え、
折込フラップは仕切部を備え、仕切部を物品収納部内に配置して補助収納部を形成する。
【００１６】
第７の考案では、第６の考案の包装用箱であって、
折込フラップは、仕切部と、第三側板の下端縁近傍に沿って配置する折込部とを備える。
【００１７】
第８の考案では、第７の考案の包装用箱であって、
折込部は、仕切部の下端側を切り込んで形成する。
【考案の効果】
【００１８】
本考案の包装用箱によれば、補助底板を第一折線及び第二折線において折曲げ又は展開することで、折り畳み又は組み立てを行うことができるため、迅速に組み立て可能である。また、第三側板が底部に対して起倒自在であるため、側方から収納物を出し入れ可能である。さらに、側部に斜め折線を有しないため、外観体裁も良好である。
【図面の簡単な説明】
【００１９】
【図１】本考案の実施形態に係る包装用箱１１の組み立て途中の状態を示す斜視図。
【図２】展開形成体１３の平面図。
【図３】図１の状態から補助収納部１７を組み立てた状態を示す斜視図。
【図４】包装用箱１１を組み立てた状態を示す斜視図。
【図５】包装用箱１１の底部３０を下面側から見た図。
【図６】展開形成体１３を折り畳む途中の状態を示す平面図。
【図７】展開形成体１３を折り畳んだ状態を示す平面図。
【図８】展開形成体１３を折り畳んだ状態を示す平面図。
【考案を実施するための形態】
【００２０】
次に、考案の実施の形態について図１から図８を用いて説明する。
【００２１】
本実施形態に係る包装用箱１１は、図２に示す展開形成体１３を組み立てて形成されるものであり、例えばケーキ等の収納物を包装するために使用される。包装用箱１１は、板紙、段ボールなどの厚紙で形成されている。厚紙の他、樹脂素材を用いた板状部材等で形成してもよい。包装用箱１１は折り畳まれた半完成状態で菓子店等に納品され（図８参照）、ケーキ等を収納する前に最終の組み立てが行われる。
【００２２】
図１に示すように、本実施形態の包装用箱１１は、箱本体１４に蓋部１５が連設されている。以下の説明では、箱本体１４に蓋部１５が連設されている側を前側、前側に対向する側を後側とし、他方の対向する側を左右側とする。図１では第三側板２４が設けられている側が前側となる。また、上下方向は、包装用箱１１を組み立てて、底部３０を下にして載置した状態で、底部３０側を下方とする。尚、本実施例の包装用箱１１の平面形状は長方形であるが、正方形等の他の形状に変更してもよい。
【００２３】
まず、包装用箱１１の概略を説明する。図１及び図３に示すように、包装用箱１１は、底部３０と側部２０とで物品収納部１６を形成する。物品収納部１６の内側には、補助収納部１７が設けられる。補助収納部１７は、ケーキ等の収納物とは別に、保冷体やキャンドル、手拭き、ケーキカッター等の物品を収納する。
【００２４】
側部２０は、第一側板２１、一対の第二側板２２、３３、及び第三側板２４を備える。包装用箱１１を組み立てた状態で、第一側板２１及び一対の第二側板２２、２３は、底部３０に対して起立する。第三側板２４は、第一側板２１に対向し、底部３０に対して起倒自在である。
【００２５】
図１及び図２に示すように、底部３０は、補助底板３１及び底板３２を備える。補助底板３１は、第一折線７１及び第二折線７２を有する。補助底板３１を第一折線７１及び第二折線７２において折曲げ又は展開することで、包装用箱１１の折り畳み又は組み立てを行うことができる。
【００２６】
次に図２に示す展開形成体１３を用いて、包装用箱１１の構成を説明する。第一側板２１は、箱本体１４の後側の側部２０を構成する。第一側板２１の左右の縁部には、箱本体１４の左右の側板を構成する一対の第二側板２２、２３が第二側板折目線６２、６３を介して連設されている。第一側板２１の上端縁には、蓋部１５を係止するための第一差込片２５が形成されている。
【００２７】
第二側板２３３の上端縁には、それぞれ上側フラップ２６が上側フラップ折目線６４を介して連設されている。第二側板２２の前端縁には、折込フラップ２７が折込フラップ折目線６５を介して連設されている。
【００２８】
第一側板２１及び第二側板２２の下端縁には、補助底板３１が連設される。補助底板３１は、第一連結フラップ３３、第二連結フラップ３４、フラップ連結部３５、底板連結部３６、第一折線７１及び第二折線７２を有する。
【００２９】
第一連結フラップ３３は、第一側板２１の下端縁に第一連結フラップ折目線７３を介して連設されている。第二連結フラップ３４は、第二側板２２の下端縁に第二連結フラップ折目線７４を介して連設されている。フラップ連結部３５は、本実施例では、第二連結フラップ３４に第一折線７１を介して連設されている。第一折線７１は、第一側板２１と第二側板２２との隅部付近から斜め方向に形成される。底板連結部３６は、本実施例では、第一連結フラップ３３に第二折線７２を介して連設されている。第二折線７２は、第一側板２１と第二側板２３との隅部付近から斜め方向に形成される。
【００３０】
底板３２は、第二側板２３の下端縁に底板折目線７５を介して連設されている。第二側板２３に対向する縁部には、第二差込片３７が形成される。第二差込片３７が形成される縁部は、包装用箱１１を組み立てた状態において、第二側板２２に近接する。第二側板２２と第二連結フラップ３４との間の第二連結フラップ折目線７４付近には、第二差込片３７が差し込まれて底板３２の端部を固定する固定部３８が設けられる。
【００３１】
底板３２には、箱本体１４の前の側板を構成する第三側板２４が第三側板折目線６１を介して連設されている。第三側板２４の上端縁には、蓋部１５を構成する天板４１が天板折目線８１を介して連設されている。天板４１の後端縁には、蓋部フラップ４２が蓋部フラップ折目線８２を介して連設されている。蓋部フラップ４２には、第一側板２１の上端縁の第一差込片２５に係止される第一係止部４３が形成される。
【００３２】
第二側板２３の前端縁には、補助収納部１７を構成する折込フラップ５１が連設される。折込フラップ５１は、折込部５２、仕切部５３、及び保持部５４を備える。
【００３３】
折込部５２は、第二側板２３の前端縁に折込部折目線９１を介して連設されている。折込部５２には、仕切部５３が仕切部折目線９２を介して連設されている。仕切部５３には、折込部５２の下端側が幅広となるように、仕切部折目線９２に連続する切り込み線９３が形成される。仕切部５３には、補助収納部１７に保冷体を収納した場合に冷気が物品収納部１６内に行き渡るよう通気孔５５が形成される。
【００３４】
仕切部５３には、保持部５４が保持部折目線９４を介して連設される。保持部５４には、第三差込片５６が形成される。第一側板２１と第二側板２３との間の第二側板折目線６３付近には、第三差込片５６が差し込まれて折込フラップ５１の端部を固定する第二係止部５７が設けられる。
【００３５】
次に、包装用箱１１を折り畳んだ状態、すなわち半完成状態の包装用箱１１について説明する。半完成状態の包装用箱１１は、展開形成体１３を折り畳んで形成する。図６に示すように、底板３２、第三側板２４、天板４１、及び蓋部フラップ４２は、図２の状態から底板折目線７５において谷折りに折り曲げて、第二側板２３及び折込フラップ５１に重ねる。
【００３６】
第一連結フラップ３３は、図２の状態から第一連結フラップ折目線７３において谷折りに折り曲げて、第一側板２１に重ねる。底板連結部３６は、図２の状態から第二折線７２において山折りに折り曲げて、第一連結フラップ３３に重ねる。
【００３７】
第二連結フラップ３４は、図２の状態から第二連結フラップ折目線７４において谷折りに折り曲げて、第二側板２２に重ねる。フラップ連結部３５は、図２の状態から第一折線７１において山折りに折り曲げて、第二連結フラップ３４に重ねる。
【００３８】
折込フラップ２７は、図２の状態から折込フラップ折目線６５において山折りに折り曲げて、第二側板２２に重ねる。
【００３９】
図７及び図８に示すように、図６の状態から、第二側板折目線６２において谷折りに折り曲げて、第二側板２２を第一側板２１に重ねる。このとき、フラップ連結部３５と第一連結フラップ３３とが直接重なるため、フラップ連結部３５と第一連結フラップ３３とを貼着して連結する。
【００４０】
また、図７及び図８に示すように、図６の状態から、第二側板折目線６３において谷折りに折り曲げて、第一側板２１を第二側板２３及び底板３２に重ねる。このとき、底板連結部３６と底板３２とが直接重なるため、底板連結部３６と底板３２とを貼着して連結する。これにより、展開形成体１３を折り畳んだ半完成状態の包装用箱１１となる。
【００４１】
次に、折り畳まれた半完成状態の包装用箱１１を完成体まで組み立てる場合について説明する。まず、第二側板２３に重ねられている第一側板２１を第二側板２３に対して起こすとともに、第一側板２１に重ねられている第二側板２２を第一側板２１に対して起こす。すると、フラップ連結部３５と第一連結フラップ３３とが連結されているため、第一折線７１において折り曲げられていた第一連結フラップ３３と第二連結フラップ３４が展開され、補助底板３１が第一側板２１と第二側板２２との間に展開される。また、底板連結部３６と底板３２とが連結されているため、第二折線７２において折り曲げられていた底板３２と第一連結フラップ３３が展開され、底板３２が補助底板３１の上に載置されて底部３０が構成される。また、差込片３７が固定部３８に差し込まれて、第二側板２２と底板３２が連結される。この状態で、図１に示すように、第一側板２１及び一対の第二側板２２、２３は、底部３０に対して起立した状態となる（図５参照）。
【００４２】
次に、図２に示す状態において、折込フラップ５１を構成する折込部５２、仕切部５３、及び保持部５４を折込部折目線９１、仕切部折目線９２、及び保持部折目線９４で物品収納部１６の内側に折り曲げ、第三差込片５６を第二係止部５７に差し込む。この状態で、図３に示すように、折込部５２が第三側板２４の下端縁近傍に沿って配置されるとともに、底部３０に対して起立する補助収納部１７が構成される。
【００４３】
次に、図３に示す状態において、第三側板２４を底板３２に対して第三側板折目線６１において折り曲げて、底部３０に対して起立した状態とする。また、天板４１を第三側板２４に対して天板折目線８１において折り曲げ、蓋部フラップ４２を天板４１に対して蓋部フラップ折目線８２において折り曲げる。蓋部フラップ４２の第一係止部４３を第一側板２１の第一差込片２５に係止することで、図４、図５に示すように、蓋部１５が箱本体１４に係止され、包装用箱１１の完成体が組み立てられる。
【００４４】
以上説明した本実施形態に係る包装用箱１１によれば、補助底板３１を第一折線７１及び第二折線７２において折曲げ又は展開することで、折り畳み又は組み立てを行うことができるため、迅速に組み立て可能である。また、第三側板２４が底部３０に対して起倒自在であるため、側方から収納物を出し入れ可能である。さらに、側部２０に斜め折線を有しないため、外観体裁も良好である。
【００４５】
包装用箱１１は、第二連結フラップ３４に連続する第二側板２２と、第二側板２２と近接する底板３２の端側とを固定する固定部３８を備える。このため、底部３０と側部２０との固定が強固となる。
【００４６】
包装用箱１１の折込フラップ５１は仕切部５３を備え、仕切部５３を物品収納部１６内に折り込んで補助収容部３１０を形成する。このため、簡単に補助収容部３１０を形成することができる。
【００４７】
包装用箱１１の折込フラップ５１は、仕切部５３と、第三側板２４の下端縁近傍に沿って配置される折込部５２とを備える。このため、仕切部５３が補助収納部１７を形成する一方で、折込部５２の下端が第三側板２４の下端縁に当接し、第二側板２３の直立状態を保持することができる。
【００４８】
包装用箱１１の折込部５２は、仕切部５３の下端側を切り込んで形成する。このため、折込部５２を幅広く第三側板２４の下端縁に当接させることができ、第二側板２３の直立状態を保持することができる。
【００４９】
以上、本考案の実施の形態について説明したが、本考案は上記実施の形態に限定されるものではなく、更に様々な変更が可能である。
【００５０】
例えば、本実施形態では、第一連結フラップ３３と第二連結フラップ３４との連結については、第二連結フラップ３４に第一折線７１を介してフラップ連結部３５を設けたが、これに限定されない。例えば、第一連結フラップ３３に第一折線７１を介してフラップ連結部３５を設けるようにしてもよい。また、フラップ連結部３５を貼着する面は上面、下面いずれでもよい。要は、第一折線７１が形成されれば、第一連結フラップ３３と第二連結フラップ３４をどのように連結しても構わない趣旨である。
【００５１】
蓋部１５の構成は、本実施形態に限定されない。例えば、蓋部に把持部を設けるようにしてもよい。
【００５２】
本実施形態において、固定部３８は第二連結フラップ折目線７４付近に形成し、第二差込片３７が差し込まれる構成としているが、これに限定されない。該構成に加えて、又は該構成に替えて、固定部３８を第一連結フラップ折目線７３付近に形成して第二差込片３７が差し込まれる構成としてもよく、あるいは該構成に加えて、又は該構成に替えて、底板３２の第一側板２１側の端部や第二連結フラップ３４に連続する第二側板２２の端部にフラップを形成し、該フラップを第一側板２１の内側や第二側板２２の内側に接触させて固定する構成としてもよい。
【００５３】
補助収納部１７は、折込部５２、仕切部５３、及び保持部５４で構成して、水平方向の断面形状が略方形となるようにしたがこれに限定されない。例えば、補助収納部１７を、折込部５２及び仕切部５３で構成して、水平方向の断面形状が略三角形となるようにしてもよい。
【００５４】
また、包装用箱１１を組み立てた状態で、折込フラップ２７と折込フラップ５１とを連結するようにしてもよい。例えば、折込フラップ５１の折込部５２と折込フラップ２７にそれぞれ係止部を形成して連結するようにしてもよい。
【符号の説明】
【００５５】
１１    包装用箱
１３    展開形成体
１４    箱本体
１５    蓋部
１６    物品収納部
１７    補助収納部
２０    側部
２１    第一側板
２２、２３    第二側板
２４    第三側板
２５    第一差込片
３０    底部
３１    補助底板
３２    底板
３３    第一連結フラップ
３４    第二連結フラップ
３５    フラップ連結部
３６    底板連結部
３７    第二差込片
３８    固定部
４１    天板
４３    第一係止部
５２    折込部
５３    仕切部
５４    保持部
５５    通気孔
５６    第三差込片
５７    第二係止部
７１    第一折線
７２    第二折線
９３    切り込み線
【図１】
0003186664.tif 000003
【図２】
0003186664.tif 000004
【図３】
0003186664.tif 000005
【図４】
0003186664.tif 000006
【図５】
0003186664.tif 000007
【図６】
0003186664.tif 000008
【図７】
0003186664.tif 000009
【図８】
0003186664.tif 000010